(57)【要約】【課題】バッテリの急峻な電圧降下により記録媒体に保持されているデータが損傷を受けることを抑止可能な携帯型メディアプレーヤ（情報記録再生装置）を提供する。【解決手段】この発明の実施形態の１つは、情報記録再生装置の二次電池の残容を管理するために、記憶媒体を含む装置全体に電力を供給する二次電池の残容量を、電流供給能によりモニタし、記憶媒体を含む装置全体に電力を供給する二次電池の残容量を、電圧供給能によりモニタし、電流供給能に基づいて、表示装置に残容量を表示させ、記憶媒体の起動時に要求される電力を示すシステム停止電圧を、電流供給能または電圧のいずれか一方が下回った時点で、装置全体を停止することを特徴とする。【選択図】  図３
2008071403.tif 000002
【特許請求の範囲】
【請求項１】
所定の電力で動作される記憶媒体と、
前記記憶媒体を含む装置全体に電力を供給する二次電池と、
前記記憶媒体が保持する情報及び前記二次電池の残容量を表示する表示装置と、
前記記憶媒体と同時にまたは並列して動作可能な第１の内部装置と、
前記記憶媒体と同時にまたは並列して動作可能な第２の内部装置と、
前記二次電池の電圧供給能をモニタするモニタ装置と、
前記モニタ装置による前記二次電池の残容量をモニタし、前記二次電池の残容量が所定のレベルを下回った場合に、前記第１または第２の内部装置を停止するよう、前記表示装置に、表示を表示させる制御装置と、
を有することを特徴とする携帯型情報記録再生装置。
【請求項２】
前記制御装置は、前記第１または第２の内部装置のいずれも停止されないことを検出して、前記記憶媒体を含む装置全体を停止させることを特徴とする請求項１記載の携帯型情報記録再生装置。
【請求項３】
前記制御装置は、前記第１または第２の内部装置の少なくとも一方が停止された場合、前記記憶媒体を含む装置全体を停止させるためのシステム終止条件を更新することを特徴とする請求項１記載の携帯型情報記録再生装置。
【請求項４】
前記制御装置は、前記第１または第２の内部装置の少なくとも一方が停止された場合、付随して停止される別の内部装置の有無を判定して、前記記憶媒体を含む装置全体を停止させるためのシステム終止条件を更新することを特徴とする請求項１記載の携帯型情報記録再生装置。
【請求項５】
記憶媒体を含む装置全体に電力を供給する二次電池の残容量と、同時にまたは並列して動作されている内部装置もしくは動作プログラムの数及び内部装置もしくは動作プログラムの動作に必要な電流値をモニタし、
記憶媒体を含む装置全体に電力を供給する二次電池の残容量が任意の内部装置もしくは動作プログラムの停止を必要とするレベルまで低減したことを検知し、
検知結果に基づいて、任意の内部装置もしくは動作プログラムの停止を要求し、
任意の内部装置もしくは動作プログラムが停止された場合には、装置全体を停止するシステム停止電圧のレベルを更新する
ことを特徴とする情報記録再生装置の二次電池の残容量管理方法。
【請求項６】
検知結果に基づいて、任意の内部装置もしくは動作プログラムの停止を要求したのち、
いずれの内部装置、もしくは動作プログラムも停止されない場合には、装置全体を停止する
ことを特徴とする請求項５記載の情報記録再生装置の二次電池の残容量管理方法。
【請求項７】
検知結果に基づいて、任意の内部装置もしくは動作プログラムの停止を要求したのち、
任意の内部装置もしくは動作プログラムが停止された場合には、付随して停止される別の内部装置の有無を判定して、装置全体を停止するシステム停止電圧のレベルを更新する
ことを特徴とする請求項５記載の情報記録再生装置の二次電池の残容量管理方法。
【発明の詳細な説明】
【技術分野】
【０００１】
この発明は、主として携帯して用いられるメディアプレーヤ（音楽／画像／ビデオ情報記録再生装置）に関し、特に内蔵した二次電池による動作中の電圧管理並びに急激な電圧降下の発生時における内部装置及びデータの保護に関する。
【背景技術】
【０００２】
近年、主として携帯して用いられるもので、メモリカード等の固体メモリやハードディスク等に収容したデジタル化された音楽データあるいは映像データを、随時（任意の時間に任意の場所で）再生可能な携帯型情報記録再生装置（メディアプレーヤ）が、広く普及している。
【０００３】
音楽データや映像データは、例えばＣＤ（コンパクトディスク）規格やＤＶＤ規格の光ディスク等を媒介として、あるいは空間波（地上波）や放送衛星を用いて提供される公衆向け放送により、もしくはインターネット等を通じたサーバ（配信サイト）へのアクセスによるダウンロード等のさまざまな手法により入手可能である。
【０００４】
携帯型情報記録再生装置では、その特性上、内蔵した二次電池により動作されることがほとんどである。
【０００５】
反面、ハードディスクへのアクセス中、すなわちハードディスクからデータを読み出している間に二次電池の急激な電圧降下が生じた場合は、ハードディスクに記憶されているデータが損傷を受け、次回のデータ再生が不能になる虞がある。
【０００６】
このため、バッテリ残量（残容量）は、常時モニタされ、必要に応じて、装置が停止される。また、バッテリ残量は、同時に動作される内部装置（デバイス）やアプリケーション（データ処理プログラム）としてカウントされる周辺回路（要素）の数に基づいて変動することはいうまでもない。
【０００７】
なお、無線携帯情報端末装置において、周辺回路の電源のオン／オフをモニタし、周辺回路のオン／オフが切り換えられた場合に、電池残量データの更新のための電池電圧の検出を要求するものが報告されている（例えば、特許文献１）。
【特許文献１】特許第２９２８１７８号
【発明の開示】
【発明が解決しようとする課題】
【０００８】
特許文献１によれば、周辺回路がオン／オフされた場合に、電池残量が検出される。
【０００９】
しかしながら、継続して周辺回路がオンされている場合に、電池残量が減少した場合には、ハードディスク起動時の急峻な電圧降下を許容できない場合が多い。また、装置が、データが損傷を受けることのある不所望な状態で停止する虞があることは、容易に類推できる。
【００１０】
この発明の目的は、記憶媒体（ハードディスク等）に保持されているデータが、バッテリの残容量が急激に低下することによる装置の停止により、損傷を受けることを抑止可能な携帯型のメディアプレーヤ（音楽／画像／ビデオ情報記録再生装置）を提供することである。
【課題を解決するための手段】
【００１１】
この発明は、上記問題点に基づきなされたもので、所定の電力で動作される記憶媒体と、前記記憶媒体を含む装置全体に電力を供給する二次電池と、前記記憶媒体が保持する情報及び前記二次電池の残容量を表示する表示装置と、前記記憶媒体と同時にまたは並列して動作可能な第１の内部装置と、前記記憶媒体と同時にまたは並列して動作可能な第２の内部装置と、前記二次電池の電圧供給能をモニタするモニタ装置と、前記モニタ装置による前記二次電池の残容量をモニタし、前記二次電池の残容量が所定のレベルを下回った場合に、前記第１または第２の内部装置を停止するよう、前記表示装置に、表示を表示させる制御装置と、を有することを特徴とする携帯型情報記録再生装置を提供するものである。
【発明の効果】
【００１２】
この発明の任意の実施の形態によれば、携帯型メディアプレーヤ（音楽／画像／ビデオ情報記録再生装置）において、バッテリの残容量が所定のレベル以下になった時点で、システムの動作を維持するための任意の周辺回路の停止が促される。なお、周辺装置が停止されない場合には、システムの停止が報知され、その後安全にシステムが停止される。
【００１３】
従って、バッテリの急峻な電圧降下により記憶媒体に記憶されているデータが損傷を受け、次回のデータ再生が不能になる（リセット操作が必要となる）等の不用意なシステム（プレーヤ）の異常停止の発生が抑止される。
【発明を実施するための最良の形態】
【００１４】
図１は、この発明の実施形態の一例が適用され、主として携帯して用いられるメディアプレーヤ（音楽／画像／ビデオ情報記録再生装置）の主要な構成を説明する概略ブロック図である。
【００１５】
図１に示すメディアプレーヤ（音楽／画像／ビデオ情報記録再生装置）１は、ユーザ（利用者）からの制御信号の入力や選択指示信号の入力に用いられる操作部３、例えば現在再生中の音声／音楽プログラムのファイル名や音声プログラム中に含まれる文字情報あるいは映像データを再生した動画もしくは静止画が表示可能なＬＣＤパネル（液晶表示装置）５、例えば数Ｇ（ギガ）バイトないし数１０Ｇバイトの記憶容量が与えられたハードディスク装置（以下ＨＤＤと表示する）７、及び主として携帯して用いられる際の電源であるバッテリ（二次電池）９、及び主制御部であるＣＰＵ１１等を有する。なお、ＨＤＤ７は、プレーヤ１から取り外すことが可能にユニット化されている「モバイルディスク」であってもよい。
【００１６】
ＣＰＵ１１には、ユーザによる操作部３の操作により入力される制御信号を受け付けるＩ／Ｏ（入出力）ポート１３、ＬＣＤパネル５に表示すべき画像や文字列を表示させるためのディスプレイドライバ（ＬＣＤ駆動回路）１５、ＨＤＤ７に保持されている映像データや音声／音楽データをアナログ出力に変換する出力部１７、及びバッテリ９により提供される電力すなわち所定の電圧及び許容される電流を管理する電源制御ＩＣ（Power Management integrated circuit）１９等が接続されている。
【００１７】
ＣＰＵ１１にはまた、ＨＤＤ７に記憶されたデータの再生およびＨＤＤ７へのデータの記録、ならびにＨＤＤ７の起動あるいは図示しない主電源のオン／オフ等の制御に利用されるシステムメモリであるＲＯＭ（Read Only Memory）２１、（入力された）制御信号に対応する制御情報やコマンド等が一次的に保持するとともに、ＨＤＤ７から読み出された一定量のデータをバッファするワークメモリ、すなわちＲＡＭ（Random Access Memory）２３が、制御バス２５を経由して接続されている。
【００１８】
電源制御ＩＣ１９には、バッテリ９により提供される電力すなわち所定の電圧及び許容される電流を管理する、所定の直流電圧が供給される。なお、供給可能な電流値は、ＣＰＵ１１の制御により、同時に（あるいは並列して）動作される内部装置及び同時に（もしくは並列して）動作される動作プログラム（アプリケーション）の個数に応じてバッテリ９が供給可能な最大電流値の範囲内で任意に設定される。また、電源制御ＩＣ１９またはＣＰＵ１１のファームウェアとして、図６により後段に説明するような周辺回路／機器、すなわち内部装置（デバイス）やアプリケーションを動作させるために必要な電流値または消費電力が、ＲＡＭ２３等に、予め記憶されている。
【００１９】
バッテリ９には、バッテリ９の放電状態すなわち電圧供給能及び電流供給能を監視するガスゲージ（Gas Gauge）３１を経由して、充電部（charger）３３が接続されている。なお、充電部３３は、商用電源（ＡＣ１００Ｖ）を直接受け入れる構造とすることも可能であるが、この例では、プレーヤ１の小型化のため、通常は図示しない外部電源装置により、５Ｖ前後の直流（ＤＣ）に減圧／変換された直流電圧が電源入力部３３ａから入力される。
【００２０】
ＣＰＵ１１にはまた、映像データ（文字データを含む）や音楽データ（音声データを含む）の供給元となる、例えばパーソナルコンピュータとの間で、データの受け渡しに用いられるＵＳＢ（Universal serial Bus）ポート４１、並びに無線ネットワーク（Wire less Local Area Network）ユニット（通信部）４３、及び通常のアナログ出力に利用される出力端子４５等が接続されている。
【００２１】
ＵＳＢポート４１は、ＵＳＢコネクタ４１ａを介して、プレーヤ１から、半導体メモリを収容したオーディオ専用再生装置（ＵＳＢフラッシュメモリプレーヤ）やＵＳＢスピーカ等の外部装置への音楽データ（音声データ）の転送、あるいはマイク（外部入力）からの音楽／音声信号の入力に利用される。なお、ＵＳＢコネクタ４１ａには、ＨＤＤ７とは独立した記憶媒体である半導体メモリ、例えば「ＳＤカード」、「ｍｉｎｉ−ＳＤカード（登録商標）」、「コンパクトフラッシュ（登録商標）」、「メモリスティック（登録商標）」等との間で、データの受け渡しを可能とするカードスロット（マルチアダプタ）等が接続可能である。
【００２２】
無線ネットワークユニット４３は、２．４ＧＨｚ帯の電波を用いた（高速）通信規格のプロトコルに準拠したブルートゥース（Bluetooth）（登録商標）のみが設けられてもよいし、ＩＥＥＥ８０２．２２ａ／ｂ／ｇに準拠した汎用の無線ＬＡＮ装置のみが設けられてもよいし、両者が併用されてもよいことはいうまでもない。すなわち、無線ＬＡＮ装置あるいはブルートゥースが組み込まれることで、例えば家庭内もしくは所定の条件を満足する特定の範囲に位置されたサーバコンピュータやパーソナルコンピュータとの間で、データの受け渡しが可能である。従って、例えば市中に展開されているダウンロードセンタ等にメディアプレーヤ１を持ち込むことで、（多くの場合有償であるが）直接コンテンツをダウンロードすることも可能である。
【００２３】
アナログ出力に利用される出力端子４５には、出力部１７に設けられたオーディオコーデック（Audio codec）４７によりアナログ信号に復調された音楽あるいは音声が供給される。従って、出力端子４５に、例えばヘッドホン（Head phone）あるいは増幅機能付きスピーカを装着することで、音楽または音声が再生される。もちろん、出力端子４５からの出力を図示しないアンプ装置に入力し、アンプ装置に図示しないスピーカを接続して、より大きな音量を得ることも可能である。なお、オーディオコーデック４７は、図示しないマイクまたはライン入力（外部入力）端から直接入力されるアナログ信号をＡＤ変換してデジタル信号として入力することも可能である。
【００２４】
出力端子４５には、出力部１７に設けられたＴＶ（テレビ）エンコーダ（Video encoder）４９も設けられている。これにより、例えばＨＤＤ７に保持されている映像データを、図示しないモニタ装置やテレビ受像機に転送して再生させることも可能である。
【００２５】
上述したメディアプレーヤ１においては、ＨＤＤ７には、予め圧縮された音楽データや画像データ、ビデオデータ等の（コンテンツ）が、所定の規則に従って記録される。なお、データの圧縮において、音楽データの圧縮には、例えばＭＰ３、ＷＭＡ等の方式が、画像データの圧縮には、例えばＪＰＧ、ＧＩＦあるいはＢＭＰ等の方式が、ビデオデータの圧縮には、例えばＷＭＶ、ＭＰＥＧ等の方式が、それぞれ用いられる。また、詳述しないが、ＨＤＤ７に記憶されるデータは、著作権法で定められた「私的利用」以外の複製（回数を定めた複製以外）等を抑止するため、プレーヤ１を用いた直接の再生およびアナログ信号での外部スピーカ等への出力のみを可能として、暗号化された形式で保存することも可能である。
【００２６】
なお、操作部３は、図２にプレーヤ１の外観を示すが、音楽／画像／ビデオの再生の開始や停止の指示、ＬＣＤ５に表示される情報の切り換え、ＬＣＤ５に表示された歌詞やプログラムの文字情報をスクロールする、等の制御コマンドの入力に利用される多機能ボタン３ａを含む。多機能ボタン３ａは、例えば中央部のボタンが押された場合は、上述の再生の開始や停止の指示のためのオン信号を入力可能で、４方向（一般に「上下左右」と呼称される）のいずれかのボタンが押されることで、例えばＬＣＤ５に表示されている画像や文字列を、力が加えられているボタンの方向にスクロールさせる制御コマンド（指示）を入力させることができる。また、プレーヤ１の所定の位置には、無線ネットワークユニット４３と、外部との無線通信に用いられるアンテナ１ａが設けられている。なお、アンテナ１ａは、例えばＬＣＤ５の周囲や、プレーヤ１の側面の図示しない主電源スイッチの近傍等、プレーヤ１を構成する部材のうちの、非金属材料が用いられている部分に設けられることが好ましい。
【００２７】
ところで、ＨＤＤ７（ハードディスク装置）はモータを含むことから、起動時に比較的大きな電力（バッテリ９から放電される電流値が大きい）を必要とする。このため、ＨＤＤ７を用いる装置（携帯型メディアプレーヤ）においては、消費電力を下げるため、ある一定量のデータを記録媒体（ＨＤＤ７）から読み出し、ＲＡＭ２３にバッファしたのち、ＨＤＤ７のドライブを停止させるという読出しと停止が繰り返される。
【００２８】
従って、例えば図３に示すように、プレーヤ（システム）１においては、ＨＤＤ７へのアクセス中、すなわちＨＤＤ７からデータを読み出している間にバッテリ９で急激な電圧降下が生じることによりＨＤＤ７に記憶されているデータが損傷を受け、次回のデータ再生が不能になる（リセット操作が必要となる）等の要因により、システム（プレーヤ）１が突然停止されることのないよう、安全に停止できるシステム終止条件（図３に「Ａ」で示す）を下回らないように、常時、バッテリ９の電圧（残容量）が監視されている。
【００２９】
また、バッテリ９の残容量は、同時に動作されることのある周辺回路／周辺装置、すなわち内部装置（デバイス）やアプリケーション（動作プログラム）であるペリフェラルがオンされている状態（数）に応じて、随時変化することはいうまでもない。なお、図６において、アクセサリ欄に対応する必要残容量は、例えばＵＳＢポート４１に接続されるデバイスを示し、デバイス毎に消費電力（必要残容量）が異なることを示している。
【００３０】
このことは、換言すると、バッテリ９の残容量が低下した場合、任意数のペリフェラルの動作を停止すれば、システム（プレーヤ）１を継続して動作させることができることを示している。例えば、図３において、システム終止条件（「Ａ」）に対して、同時に動作されているペリフェラルの個数に応じて、終止条件を「Ｂ」または「Ｃ」に示すレベルに設定することで、バッテリ９の残容量が低下した場合であっても、システム（プレーヤ）１を安全に停止できる。
【００３１】
図４は、図３に示した任意数の終止条件を設定するためのシステム（プレーヤ）１の動作の一例（電圧管理方法）を示す。なお、バッテリ９の残容量は、ガスゲージ（Gas Gauge）３１の出力をモニタした結果（『残存電流供給能』）と電源制御ＩＣ１９の電圧モニタ出力ＡＤＣをモニタした結果（『残存電圧供給能』）とにより監視されている。
【００３２】
第１に、電源制御ＩＣ１９またはＣＰＵ１１のファームウェアもしくはＲＡＭ２３に、同時にあるいは並列して動作可能なペリフェラルが登録される。すなわち、ペリフェラルは、例えば図６に示すようなテーブルとして、ファームウェアまたはＲＡＭ２３に記憶される（Ｓ１）。
【００３３】
ペリフェラルが登録されると、システム終止条件（ＣＬ）が更新される。すなわち、図３において既に説明した終止条件が、例えば「Ａ」から「Ｂ」に変更される（Ｓ２）。
【００３４】
以下、バッテリ９の残容量が終止条件ＣＬ（仮の終止条件「Ｂ」）より大きいか否か、あるいは（仮の終止条件「Ｂ」）を下回ったか？がモニタされる（Ｓ３）。
【００３５】
ステップＳ３において、バッテリ９の残容量が（仮の終止条件「Ｂ」）を下回ったことが検知される（Ｓ３−Ｙ）と、ＬＣＤ５に、『バッテリの残容量が少なくなっています、任意のプログラム／内部装置（デバイス）を停止してください』等のメッセージ（アラート）が表示される（Ｓ４）。
【００３６】
ステップＳ４によるアラートに従い、任意のプログラム／内部装置（デバイス）がオフされる（Ｓ５−Ｙ）と、バッテリ残容量すなわち仮の終止条件「Ｂ」が、停止された任意のプログラム／デバイスの数（消費電力）の変動に応じて更新され、仮の終止条件が、例えば「Ｃ」に変更される（Ｓ２〜Ｓ５が繰り返される）。
【００３７】
ステップＳ４によるアラートに対して、いずれのプログラム／内部装置（デバイス）もオフされない場合（Ｓ５−Ｎ）、バッテリ残容量すなわち仮の終止条件「Ｂ」に従って、システム（プレーヤ）１の動作が停止される（Ｓ６）。
【００３８】
このように、ユーザにバッテリ残容量を報知し、任意数のプログラム／内部装置を一時的に停止（終了）させることで、ＨＤＤ７のドライブを回転させる際に必要となる比較的大きな電圧を終止条件として残した状態で、システムの異常終了、すなわちＨＤＤ７からデータを読み出している間にバッテリ９で急激な電圧降下が生じることによりＨＤＤ７に記憶されているデータが損傷を受け、次回のデータ再生が不能になる等、が発生することを抑止できる。例えば、ＬＣＤ５のバックライトをオフにすることで、あるいは、例えば出力部１７のテレビエンコーダ４９による外部モニタ／テレビ受像機への動画または文字列の出力を中止すれることで、バッテリ９の残容量（再生可能時間）が増大する。バッテリ９の残容量（再生可能時間）が増大する。
【００３９】
より詳細には、図５に示すように、ＯＳ（オペレーションシステム、ＣＰＵ１１にファームウェアとして記憶されている）側にて、電源監視を行う電源監視部が起動される。なお、一般には、電源監視部は、ドライバソフトとして実現される。
【００４０】
電源監視部によりバッテリ９の残容量が（仮の終止条件「Ｂ」）を下回ったことが検知された場合（Ｓ３−Ｙ）、（電源監視部から）ＣＰＵ１１に通知され、ＣＰＵ１１の制御により、ＬＣＤ５に『バッテリの残容量が少なくなっています、任意のプログラム／内部装置（デバイス）を停止してください』等の、任意のペリフェラル（アプリケーションあるいはデバイス）の停止を促すメッセージ（アラート）が表示される（Ｓ１１）。
【００４１】
ここで、ユーザが現在実行中のアプリケーションの終了を選択した場合（Ｓ１２−Ｙ）、このアプリケーションとリンクしているペリフェラルリストが電源監視部へ送信される（Ｓ１３）。
【００４２】
続いて、電源監視部において、ペリフェラルリストを取得し（Ｓ１４）、ペリフェラルを終了する（Ｓ４）。
【００４３】
ペリフェラルリスト上のペリフェラルが総て終了された時点（Ｓ５−Ｙ，Ｓ１５，Ｓ１６）で、システム終止条件（ＣＬ）が更新される（Ｓ２）。
【００４４】
ステップＳ１２において、いずれのペリフェラルも停止されない場合（Ｓ１２−Ｎ）、システム終止条件（ＣＬ）に従い、システム（プレーヤ）１が停止される（Ｓ６）。
【００４５】
なお、ステップＳ２においては、ステップＳ４において、任意数またはいくつかのペリフェラルが停止された場合に、付随して停止されるペリフェラルの有無がチェックされ、付随して停止されるペリフェラルが存在する場合には、そのペリフェラルが消費する電力についても、バッテリ９の残容量の終止条件の更新に反映されることは言うまでもない。
【００４６】
このように、バッテリ９の残容量が低下した場合、任意数のペリフェラルの動作を、ユーザにより、選択的に停止させることで、システム（プレーヤ）１を継続して動作させることができる。従って、同時に動作されているペリフェラルの個数に応じて、終止条件を随時、変更することで、バッテリ９の残容量が低下した場合であっても、システム（プレーヤ）１を安全に停止できる。すなわち、バッテリ９の残容量が低下した場合には、アプリケーションの終了を選ぶか、システム全体の終了を選択するかを、ＬＣＤ５に、ＧＵＩ（グラフィカルユーザインタフェース）を用いて選択画面を表示させ、ユーザに選択させることで、ユーザによるシステムの停止／一部のアプリケーションの中止を、選択させることができる。なお、ＣＰＵ１１（ＯＳ）側で、事前に設定された設定に基づいて自動的にシステムを停止してもよいことはいうまでもない。
【００４７】
以上説明したように、この発明の任意の実施の形態によれば、携帯型メディアプレーヤにおいて、バッテリの残容量が所定のレベル以下になった時点で安全に、システムが停止される。
【００４８】
従って、バッテリの急峻な電圧降下により記憶媒体に記憶されているデータが損傷を受け、次回のデータ再生が不能になる（リセット操作が必要となる）等の不用意なシステムの停止が発生することが抑止される。
【００４９】
これにより、ユーザの利便性が向上される。
【００５０】
なお、本発明は、上述のいずれかの実施の形態そのままに限定されるものではなく、実施段階ではその要旨を逸脱しない範囲で構成要素を変形して具体化できる。また、上記のいずれかの実施の形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００５１】
例えば、記憶媒体としては、ハードディスク装置に限らず、光ディスクを用いる光ディスクドライブといったモータを用いて記録メディアディスクを回転させる記憶システムが組み込まれてもよいことはいうまでもない。
【図面の簡単な説明】
【００５２】
【図１】この発明の実施の一形態が適用可能なメディアプレーヤ（音楽／画像／ビデオ情報記録再生装置）の主要な構成を説明する概略ブロック図。
【図２】図１に示したメディアプレーヤの外観上の特徴を説明する概略図。
【図３】図１および図２に示したメディアプレーヤにおいて、同時に動作されることのある周辺回路／周辺装置の数とバッテリ（二次電池）の放電特性（残容量）の変化の一例を説明する概略図。
【図４】図３に示したバッテリ（二次電池）の放電特性（残容量）から、プレーヤを停止させる手順の一例を説明する概略図。
【図５】図３に示したバッテリ（二次電池）の放電特性（残容量）から、プレーヤを停止させる手順の別の一例を説明する概略図。
【図６】図３に示した同時に動作されることのある周辺回路／周辺装置の数とバッテリの残容量（終止条件）との関係を説明する概略図。
【符号の説明】
【００５３】
１…メディアプレーヤ（情報記録再生装置）、１ａ…（無線ＬＡＮ用）アンテナ、３…操作部、５…ＬＣＤ（表示装置）、７…ＨＤＤ（ハードディスク装置、記録媒体）、９…バッテリ（二次電池）、１１…ＣＰＵ（主制御装置）、１３…Ｉ／Ｏポート、１５…ディスプレイドライバ（ＬＣＤ駆動回路）、１７…出力部、１９…電源制御ＩＣ（終端電圧監視装置）、３１…ガスゲージ（残容量（電流供給能）モニタ装置）、３３…充電部、４１…ＵＳＢポート、４３…無線ネットワークユニット（Bluetooth、通信部）。
【図１】
2008071403.tif 000003
【図２】
2008071403.tif 000004
【図３】
2008071403.tif 000005
【図４】
2008071403.tif 000006
【図５】
2008071403.tif 000007
【図６】
2008071403.tif 000008